(57)【要約】【課題】コンパクトで分解組み立てが容易なヒートパイプ冷却型車両用回転電機を提供すること。【解決手段】リヤフレーム１２の後端壁に凹設したヒートパイプ収容溝１２１にヒートパイプ１４を圧入し、このヒートパイプ１４をリヤフレーム１２の後端壁から冷却風が排出される排出口９にまで延在させる。また、リヤフレーム１２の後端壁に密着するヒートパイプ１４の部分に接して整流器５の負側放熱フィン５１を密着させる。これにより、整流器５の熱を排出口９にて良好に排出することができる。【選択図】図１
2006352946.tif 000002
【特許請求の範囲】
【請求項１】
後端壁に吸入口を、周壁に排出口を有するフレームと、固定子巻線を有して前記フレームに固定される固定子と、前記固定子の径方向内側にて回転する回転子と、前記回転子に固定されて前記吸入口から前記フレーム内へ吸入した冷却風を前記排出口から外部に排出する内扇型の冷却ファンと、前記フレームの後端壁の軸方向後側に配設される冷却フィンと、前記冷却フィンに固定されて前記固定子巻線が形成する交流電圧を整流する整流素子とを備える車両用回転電機において、
一部が前記冷却フィンに密着して蒸発部をなし、他の一部が前記冷却風の通路に露出して凝縮部をなす整流器冷却用ヒートパイプを有することを特徴とする車両用回転電機。
【請求項２】
請求項１記載の車両用回転電機において、
前記整流器冷却用ヒートパイプは、前記フレームの外表面に沿いつつ前記排出口に達し、前記排出口から外部に排出される前記冷却風により冷却されることを特徴とする車両用回転電機。
【請求項３】
請求項２記載の車両用交流発電機において、
前記整流器冷却用ヒートパイプの凝縮部は、前記排出口にて前記冷却風を横断する方向へ延設されることを特徴とする車両用回転電機。
【請求項４】
請求項２記載の車両用回転電機において、
前記整流器冷却用ヒートパイプは、前記フレームの後端壁に略径方向へ凹設されたヒートパイプ収容溝に押し込まれて前記フレームに一体に固定されていることを特徴とする車両用回転電機。
【請求項５】
請求項１記載の車両用交流発電機において、
前記整流器冷却用ヒートパイプは、前記吸入口近傍に達し、前記吸入口から前記フレームの内部に吸入される前記冷却風により冷却されることを特徴とする車両用回転電機。
【請求項６】
請求項５記載の車両用回転電機において、
前記整流器冷却用ヒートパイプの凝縮部は、前記吸入口近傍にて前記冷却風を横断する方向に延設されることを特徴とする車両用回転電機。
【請求項７】
請求項１記載の車両用回転電機において、
前記整流器冷却用ヒートパイプは、前記冷却フィンに密着する平坦面を有することを特徴とする車両用回転電機。
【請求項８】
請求項７記載の車両用回転電機において、
前記整流器冷却用ヒートパイプの蒸発部は、冷却流体が流れるチューブと、前記チューブに固定された良熱伝導性の伝熱プレートとを有し、前記伝熱プレートは前記冷却フィンの平坦面に密着、固定されることを特徴とする車両用回転電機。
【発明の詳細な説明】
【技術分野】
【０００１】
本発明は、車両用交流発電機の整流器（レクチファイヤ）の冷却性向上技術に関し、特にヒートパイプを用いて整流器を良好に冷却するヒートパイプ冷却型車両用回転電機に関する。
【背景技術】
【０００２】
従来の車両用発電機装置の整流器は、電機子コイルおよび界磁コイルを有する交流発電機と一体に設けられるのが通常である。この整流器一体型の車両用交流発電装置の従来例を以下に説明する。
【０００３】
整流器は、正側出力端子を兼ねる正側放熱フィンと、この正側放熱フィンに固定される各相（通常は３相）の上アーム側のダイオード（整流素子）と、接地端子及びヒートシンクをなす負側放熱フィンと、この負側放熱フィンに固定される上アーム側のダイオードとともに全波整流回路を構成する各相の下アーム側のダイオード（整流素子）とを有している。一般に、正側放熱フィンは発電機ハウジングの後端壁（反プーリ側の端壁）の外側にて略径方向に延在し、負側放熱フィンは、正側放熱フィンと平行又は重ねられて配置される。ダイオードの金属製の外周面にはローレット加工が施されて、放熱フィンのダイオード挿入用の貫通孔に貫通孔に圧入される。発電機のロータに固定された遠心ファンが形成する冷却風は、これら正側整流器や負側整流器に接触しつつ発電機ハウジングの後端壁の吸入口から発電機ハウジングすなわちフレーム内に導入され、発電機ハウジングの内部を冷却した後、発電機ハウジングの周壁の排出口から外部へ排出される。
【０００４】
この種の車両用交流発電装置において、出力電流増大の要求が強くなっており、その結果、従来のように発電機ハウジング流入前の冷却風を整流器を接触させて冷却するだけではダイオードの温度が許容レベルを超えてしまう可能性が生じた。
【０００５】
この問題を改善するため、下記の特許文献１は、発電機ハウジングの周壁の径方向外側に外部放熱フィン構造体を設け、この外部放熱フィン構造体と整流器近傍のフレームとをヒートパイプで熱的に接続することによりダイオード温度を低下させるヒートパイプ冷却型車両用回転電機を提案している。
【０００６】
また、下記の特許文献２は、ラジエータのような外部の放熱源と発電機ハウジングすなわちフレームとをヒートパイプで熱的に接続することにより発電機ハウジングを冷却するヒートパイプ冷却型車両用回転電機を提案している。
【特許文献１】USP４２９５０６７
【特許文献２】特開平０７−１７０６９５号公報
【発明の開示】
【発明が解決しようとする課題】
【０００７】
しかしながら、上記した特許文献１のヒートパイプ冷却型車両用回転電機では、整流器の発熱を吸収したヒートパイプ流体を発電機ハウジングの外部の大型の外部冷却フィン構造体にて冷却せねばならず、更にこの外部冷却フィン構造体への通風機構を追加しなければならず、構造が大型、複雑となるという欠点があった。
【０００８】
同様に、上記した特許文献２のヒートパイプ冷却型車両用回転電機では、発電機ハウジングの熱を吸収したヒートパイプ流体を車両用交流発電装置の外部の放熱装置（通常はラジエータ）で放熱するため、ヒートパイプの延長距離が非常に長くなりエンジンルーム内のヒートパイプ引き回しが面倒となるという問題と、更に、車両用交流発電装置の交換や取り外しての修理において、ヒートパイプから外部放熱装置（ラジエータ）を分離し、その後、再度両者を結合する必要があり、分解組み立て作業が煩雑となるという問題とを有していた。
【０００９】
本発明は、ヒートパイプを用いて整流器を冷却するにも関わらず、装置構造の複雑化、大型化を抑止し、装置の分解組み立ての複雑化を抑止可能なヒートパイプ冷却型車両用回転電機を提供することをその目的としている。
【課題を解決するための手段】
【００１０】
上記目的を達成する本発明のヒートパイプ冷却型車両用回転電機は、後端壁に吸入口を、周壁に排出口を有するフレームと、固定子巻線を有して前記フレームに固定される固定子と、前記固定子の径方向内側にて回転する回転子と、前記回転子に固定されて前記吸入口から前記フレーム内へ吸入した冷却風を前記排出口から外部に排出する内扇型の冷却ファンと、前記フレームの後端壁の軸方向後側に配設される冷却フィンと、前記冷却フィンに固定されて前記固定子巻線が形成する交流電圧を整流する整流素子とを備える車両用回転電機に適用される。この種の車両用回転電機は、たとえば車両用交流発電機として広く採用されている。冷却フィンは、良熱伝導性金属からなるプレート又はブロックにより構成されることが好適である。ヒートパイプとしては公知の種々の形式のものを採用することができる。たとえば、ヒートパイプを環状に形成し、その一部を蒸発部、他の一部を凝縮部とすることもできる。
【００１１】
この発明では特に、一部が前記冷却フィンに密着して蒸発部をなし、他の一部が前記冷却風の通路に露出して凝縮部をなす整流器冷却用ヒートパイプを有するので、整流器の熱を吸収した整流器冷却用ヒートパイプ内の流体は、この車両用回転電機自体の冷却風により良好に冷却されることができ、その結果として従来のヒートパイプ冷却型車両用回転電機に比べてコンパクトかつ小型軽量で修理点検も容易な車両用回転電機を実現することができる。
【００１２】
更に説明すると、この発明は、整流器の整流素子が非常に小さい空間にて大きな熱を発生し、かつ、整流素子の保護や配線や他の部材との場所取りの関係から、整流素子を車両用回転電機の冷却風通路の最も冷却効果が高い位置に配置することができず、たとえ大きな冷却ファンを採用したとしても、十分に整流器に冷却風を良好に当てることができないため、整流素子の冷却が不十分となっている点に着目してなされた。これは言い換えると、車両用回転電機自体がヒートパイプの凝縮部を冷却するための冷却機能を元々有していることを意味する。そこで、この発明では、整流器好適にはその整流素子の近傍の冷却フィンに蒸発部が密着するヒートパイプの凝縮部を車両用回転電機の冷却風通路に露出させる。この冷却風通路には、高速の冷却風が流れているため、ヒートパイプの凝縮部は従来のように実質的に回転電機外にて冷却しなくても良好に冷却されることができる。このことは、ヒートパイプの熱的延長距離を短縮してヒートパイプの熱輸送能力を向上できる効果を奏することができる他、外部冷却機構を省略できるため装置全体の大幅なコンパクト化を実現することができる。
【００１３】
好適な態様において、前記整流器冷却用ヒートパイプは、前記フレームの外表面に沿いつつ前記排出口に達し、前記排出口から外部に排出される前記冷却風により冷却される。すなわち、この態様では、ヒートパイプの凝縮部は、フレームの周壁に開口された冷却風の排出口に露出して冷却風により冷却される。冷却風は冷却ファンの径方向外側に位置して開口するこの排出口の部分にて高速となるため、ヒートパイプ流体を良好に冷却することができる。そのうえ、ヒートパイプは、フレームの後端壁及び周壁の外表面に接触しつつ排出口に達するため、ヒートパイプをフレームによっても冷却することができるため、さらなる冷却効果を得ることができる。
【００１４】
好適な態様において、前記整流器冷却用ヒートパイプの凝縮部は、前記排出口にて前記冷却風を横断する方向へ延設される。このようにすれば、凝縮部表面での空気境界層の発達が少なくできるためヒートパイプ冷却効果を向上できるとともに、ヒートパイプは排出口からフレーム内部に異物が侵入するのを抑止する防護ネット機能も果たすことができる。なお、排出口においてヒートパイプの凝縮部は、つづら折れ状、複数本平行状に配置することができ、更には排出口に位置してヒートパイプの凝縮部に金属フィンを固定してもよい。
【００１５】
好適な態様において、前記整流器冷却用ヒートパイプは、前記フレームの後端壁に略径方向へ凹設されたヒートパイプ収容溝に押し込まれて前記フレームに一体に固定される。このようにすれば、フレームへのヒートパイプの脱着可能な固定を簡単に実現できるとともに、フレームとヒートパイプとの間の熱伝導性も良好に確保することができる。
【００１６】
好適な態様において、前記整流器冷却用ヒートパイプは、前記吸入口近傍に達し、前記吸入口から前記フレームの内部に吸入される前記冷却風により冷却される。すなわち、この態様では、ヒートパイプの凝縮部は、フレームの後端壁に開口された冷却風の吸入口近傍に露出して冷却風により冷却される。好適には冷却ファンは遠心冷却ファンとされ、吸入口はこの遠心冷却ファンの翼部よりも径方向内側に開口され、整流素子はこの翼部の径方向内端よりも径方向外側に配置される。このようにすれば、冷却風はこの吸入口近傍にて比較的高速となるため、ヒートパイプ流体を良好に冷却することができる。好適には、このヒートパイプは、フレームからの電気絶縁が必要な正側放熱フィンから吸熱する構造とされる。これにより、電気絶縁を簡単とすることができる。
【００１７】
好適な態様において、前記整流器冷却用ヒートパイプの凝縮部は、前記吸入口近傍にて前記冷却風を横断する方向に延設される。このようにすれば、凝縮部表面での空気境界層の発達が少なくできるためヒートパイプ冷却効果を向上できるとともに、ヒートパイプは吸入口からフレーム内部に異物が侵入するのを抑止する防護ネット機能も果たすことができる。なお、吸入口近傍においてヒートパイプの凝縮部は、つづら折れ状、複数本平行状に配置することができ、更には吸入口近傍に位置してヒートパイプの凝縮部に金属フィンを固定してもよい。
【００１８】
好適な態様において、前記整流器冷却用ヒートパイプは、前記冷却フィンに密着する平坦面を有する。たとえばヒートパイプの凝縮部は扁平とされる。これにより、ヒートパイプと冷却フィンとの接触を良好として熱抵抗を低減することができる。なお、正側放熱フィンに対しては、ヒートパイプと正側放熱フィンとの間に絶縁シートを配置することが好適である。
【００１９】
好適な態様において、前記整流器冷却用ヒートパイプの蒸発部は、冷却流体が流れるチューブと、前記チューブに固定された良熱伝導性の伝熱プレートとを有し、前記伝熱プレートは前記冷却フィンの平坦面に密着、固定される。このようにすれば、冷却フィンとヒートパイプとの間の伝熱抵抗を低減できるとともに、冷却フィンと伝熱プレートとの間の電気絶縁を両者間に絶縁シートを介設することにより簡単に実現することができる。
【発明を実施するための最良の形態】
【００２０】
以下、本発明のヒートパイプ冷却型車両用回転電機の実施形態を図面を参照して具体的に説明する。もちろん、本発明は下記の実施形態に限定解釈されるべきものではなく、本発明の技術思想を公知の他の技術又はそれと同等の技術の組み合わせにより実現してもよいことは当然である。
【００２１】
［実施形態１］
第１の実施形態を図１を参照して説明する。図１は、この実施形態のヒートパイプ冷却型車両用交流発電機の模式軸方向断面図である。
【００２２】
（全体構成）
１はフレームであり、それぞれ椀状のフロントフレーム１１とリヤフレーム１２とからなる。フロントフレーム１１とリヤフレーム１２とは図示しないスルーボルトにより締結されて後述する固定子鉄心３１を挟圧している。２はランデル型の回転子であり、界磁コイル２１と、一対のポールコア２２、２３とからなる。３は固定子であり、フレーム１の周壁内周面に固定された固定子鉄心３１と、固定子鉄心３１に巻装された固定子巻線３２とからなる。４は界磁コイル２１に給電するための界磁コイル給電機構であり、一対のブラシ４１、４２及び一対のスリップリング４３、４４からなる。
【００２３】
５はリヤフレーム１２の後端壁に固定された整流器（レクチファイア）であり、図示しない絶縁シートを介して積層された負側放熱フィン５１及び正側放熱フィン５２と、負側放熱フィン５１の孔に圧入された負側（下アーム側）のダイオード（図示せず）と、正側放熱フィン５２の孔に圧入された正側（上アーム側）のダイオード（整流素子）５３と、端子台５４とを有している。負側放熱フィン５１及び正側放熱フィン５２はフレーム１に締結され、負側放熱フィン５１がリヤフレーム１２の後端壁に密着している。負側放熱フィン５１は整流器５の接地電極を兼ね、正側放熱フィン５２は整流器５の＋出力端子を兼ねている。負側放熱フィン５１及び正側放熱フィン５２にはそれぞれ３相のダイオードが固定され、各ダイオードの交流側の端子は端子台５４にて固定子巻線３２から延在する３本の相端子線のいずれかに接続される。
【００２４】
６は回転子２の後端面に固定されたリヤ側の冷却ファンであり、７は回転子２の前端面に固定されたフロント側の冷却ファンである。８はリヤフレーム１２の後端壁に開口された吸入口、９は冷却ファン６の径方向外側にてリヤフレーム１２の周壁に開口された排出口である。これら吸入口８及び排出口９と同様に、フロントフレーム１１にも冷却ファン７のために吸入口８１と排出口９１とが設けられている。１０は回転軸により回転子２と一体回転するプーリであり、ナット９０により回転軸の前端に固定されている。リヤフレーム１２の後端壁は樹脂カバー１３により囲覆され、樹脂カバー１３の内部に界磁コイル給電機構４、整流器５や説明を省略した界磁コイル電流制御装置（レギュレータ）が収容されている。この種の車両用回転電機は車両用交流発電機として広く知られている。
【００２５】
（整流器冷却構造）
次にこの実施形態の特徴部分を図１を参照して説明する。リヤフレーム１２の後端面には径方向に複数本のヒートパイプ収容溝１２１が凹設され、各ヒートパイプ収容溝１２１にはヒートパイプ１４が圧入されている。なお、整流器５はヒートパイプ１４をヒートパイプ収容溝１２１に圧入した後、リヤフレーム１２の後端面に密着しつつ図示しないねじ又はボルトで、リヤフレーム１２に締結されているが、あらかじめヒートパイプ１４と整流器５の負側放熱フィン５１とを密着固定してから、整流器５をリヤフレーム１２の後端面に締結し、ヒートパイプ１４をヒートパイプ収容溝１２１に押し込んでも良い。
【００２６】
この実施形態では、ヒートパイプ収容溝１２１は、リヤフレーム１２の後端面だけでなく外周面にも凹設されて、排出口９に達している。各ヒートパイプ収容溝１２１にはそれぞれ一本のヒートパイプ１４が圧入されており、各ヒートパイプ１４はリヤフレーム１２の後端面に沿いつつ径方向へ、かつ、リヤフレーム１２の外周面に沿いつつ軸方向前方へ延在している。更に、ヒートパイプ１４は排出口９を軸方向へ横断しており、ヒートパイプ１４の一端はリヤフレーム１２の前端部に達している。ヒートパイプ１４の他端は吸入口８に突出している。これにより、整流器５の負側放熱フィン５１とヒートパイプ１４とは熱的に良好に密着することになる。
【００２７】
ヒートパイプ収容溝１２１の形状、配置を図２〜図４に示す。図２はリヤフレーム１２を後方からみた模式正面図、図３はヒートパイプ収容溝１２１の拡大断面図、図４はリヤフレーム１２の後端壁近傍の部分模式斜視図である。図３から明らかなように、ヒートパイプ１４は、リヤフレーム１２の後端面１２２と一致する平坦面１４１をもち、負側放熱フィン５１はこれら後端面１２２及び平坦面１４１に密着した状態にて締結される。
【００２８】
（作用）
回転子２とともに冷却ファン６が回転すると、冷却ファン６は、吸入口８からフレーム１内に流入し、排出口９から外部に排出される冷却風を形成する。なお、冷却風は樹脂カバー１３に設けた孔や樹脂カバー１３とリヤフレーム１２との間の隙間から樹脂カバー１３内に流入する。冷却風の速度は、吸入口８及び排出口９の近傍にて高速となっている。しかし、図１からわかるように、整流器５は吸入口８よりも径方向外側に配置されているため、冷却風は整流器５を直接良好に冷却することができない。しかし、この実施形態では、ヒートパイプ１４の一端が排出口９に露出しているため、ヒートパイプ１４は排出口９にて良好に冷却され、ヒートパイプ１４のこの部分が凝縮部となる。また、ヒートパイプ１４と負側放熱フィン５１との接触部は、各ダイオード５３から良好に熱吸収する蒸発部となる。
【００２９】
この実施形態では特に、ヒートパイプ１４とリヤフレーム１２との機械的、熱的結合を、ヒートパイプ１４をリヤフレーム１２のヒートパイプ収容溝１２１への圧力入により実施しているため、結合信頼性に優れ、熱抵抗が小さく、脱着も可能なヒートパイプ冷却構造を実現することができる。また、排出口９近傍の高速冷却風によりヒートパイプ１４又はこのヒートパイプ１４に固定した冷却部材を良好に冷却することができるため、ヒートパイプ冷却構造を小型で簡素に実現することができる。また、各ヒートパイプ１４は排出口９からフレーム１の内部への異物侵入を防止することができる。
【００３０】
［実施形態２］
他の実施形態を図５を参照して説明する。図５はヒートパイプ冷却型車両用回転電機の整流器５近傍を示す模式部分軸方向断面図である。
【００３１】
実施形態１では多数のヒートパイプ１４を放射配置したが、この実施形態では、放射配置される多数のヒートパイプ１４のうち一部のヒートパイプ１４０は、排出口９側ではなく吸入口８近傍に延設される。これにより、ヒートパイプ１４の凝縮部を吸入口８近傍に形成することができ、実施形態１と同等の効果を奏することができる。
【００３２】
［実施形態３］
他の実施形態を図６を参照して説明する。図６はヒートパイプ冷却型車両用回転電機の整流器５近傍を示す模式部分軸方向断面図である。
【００３３】
この実施形態は、実施形態１において、正側放熱フィン５２にヒートパイプ収容溝５２１を径方向へ凹設し、このヒートパイプ収容溝５２１に第２のヒートパイプ１５を放射方向へ形成したものである。第２のヒートパイプ１５の径方向内側の端部は、吸入口８近傍に延設されて凝縮部を構成する。このようにすれば、整流器５の冷却効果を一層向上することができる。
【００３４】
［実施形態４］
他の実施形態を図７を参照して説明する。図７はヒートパイプ冷却型車両用回転電機の整流器５近傍を示す模式部分軸方向断面図である。
【００３５】
この実施形態は、実施形態３において、ヒートパイプ１４を収容するためのヒートパイプ収容溝５１１を負側放熱フィン５１のリヤフレーム１２側の主面に凹設したものである。また、この実施形態では、負側放熱フィン５１と正側放熱フィン５２とは軸方向に所定間隔を隔てて配置される。
【００３６】
［実施形態５］
他の実施形態を図８を参照して説明する。図８はヒートパイプ冷却型車両用回転電機の整流器５近傍を示す模式部分軸方向断面図である。
【００３７】
この実施形態は、図６に示す実施形態３において、正側放熱フィン５２冷却用のヒートパイプ１５を負側放熱フィン５１冷却用のヒートパイプ１４を延長して形成したものである。このヒートパイプ１４（１５）の凝縮部は、排出口９及び吸入口８に面して形成される。これにより、ヒートパイプ構造を簡素化することができる。ただし、この実施形態では、ヒートパイプ１５と正側放熱フィン５２との間に絶縁シートを設けることが好適である。
【００３８】
［実施形態６］
他の実施形態を図９を参照して説明する。図９はヒートパイプ冷却型車両用回転電機の整流器５近傍を示す模式部分軸方向断面図である。
【００３９】
この実施形態は、図７に示す実施形態４において、正側放熱フィン５２冷却用のヒートパイプ１５を負側放熱フィン５１冷却用のヒートパイプ１４を延長して形成したものである。このヒートパイプ１４（１５）の凝縮部は、排出口９及び吸入口８に面して形成される。これにより、ヒートパイプ構造を簡素化することができる。ヒートパイプ１５と正側放熱フィン５２との間に絶縁シートを設けることが好適である。
【００４０】
（変形態様）
その他、実施形態１の放射配置された多数のヒートパイプを一本の長いヒートパイプ１４を曲げて代用してもよい。この長いヒートパイプ１４は、径方向延在部と周方向延在部とを交互に組み合わせて径方向延在部が実施形態１の各ヒートパイプ１４に対応するように配置すればよい。その他、公知の種々のヒートパイプ技術を上記ヒートパイプ１４に適用することが可能である。
【図面の簡単な説明】
【００４１】
【図１】実施形態１のヒートパイプ冷却型車両用交流発電機の模式軸方向断面図である。
【図２】図１のリヤフレームを後方からみた模式正面図である。
【図３】図１のヒートパイプ収容溝の拡大断面図である。
【図４】図１のリヤフレームの後端壁近傍の部分模式斜視図である。
【図５】実施形態２を説明する模式部分軸方向断面図である。
【図６】実施形態３を説明する模式部分軸方向断面図である。
【図７】実施形態４を説明する模式部分軸方向断面図である。
【図８】実施形態５を説明する模式部分軸方向断面図である。
【図９】実施形態６を説明する模式部分軸方向断面図である。
【符号の説明】
【００４２】
１      フレーム
２      回転子
３      固定子
４      界磁コイル給電機構
５      整流器
６      冷却ファン
７      冷却ファン
８      吸入口
９      排出口
１１      フロントフレーム
１２      リヤフレーム
１３      樹脂カバー
１４      ヒートパイプ
１５      ヒートパイプ
２１      界磁コイル
２２      ポールコア
３１      固定子鉄心
３２      固定子巻線
４１      ブラシ
４２      ブラシ
４３      スリップリング
４４      スリップリング
５１      負側放熱フィン
５２      正側放熱フィン
５３      ダイオード（整流素子）
５４      端子台
８１      吸入口
９１      ナット
９１      排出口
１２１      ヒートパイプ収容溝
１２２      後端面
１４０      ヒートパイプ
１４１      平坦面
５１１      ヒートパイプ収容溝
５２１      ヒートパイプ収容溝
【図１】
2006352946.tif 000003
【図２】
2006352946.tif 000004
【図３】
2006352946.tif 000005
【図４】
2006352946.tif 000006
【図５】
2006352946.tif 000007
【図６】
2006352946.tif 000008
【図７】
2006352946.tif 000009
【図８】
2006352946.tif 000010
【図９】
2006352946.tif 000011